(57)【要約】【課題】資源の有効利用やＣＯ２の削減を促進し得る衣服を提供する。【解決手段】  衣服１０では、右ピース２０は、前身頃の右側半分以上を含む右前身頃２０ａと、後ろ身頃の右側半分以上を含む右後ろ身頃２０ｂと、右肩に掛止可能な右肩掛止部２２と、左腰を包被可能な左腰包被部２３とを有し、左ピース３０は、前身頃の左側半分以上を含む左前身頃３０ａと、後ろ身頃の左側半分以上を含む左後ろ身頃３０ｂと、左肩に掛止可能な左肩掛止部３２と、右腰に締止可能な右腰締止部３４と、を有し、右ピース２０は腰紐５２により左腰と腰の周囲で身体に締止される。そして、右ピース２０および左ピース３０の少なくとも一方は、表地と裏地とがそれぞれ異なった色、柄、模様または織り方の生地であり、前身頃と後ろ身頃とが同一形状に形成されている。【選択図】図１
2011184830.tif 000002
【特許請求の範囲】
【請求項１】
左右に分離された２ピースからなり、右ピースと左ピースの一対により一着を構成する衣服であって、
前身頃の右側半分以上および後ろ身頃の右側半分以上を形成する右側身頃部、右肩に掛止可能な右肩掛止部ならびに左腰を包被可能な左腰包被部を有し、表地と裏地とからなる右ピースと、
前記右ピースを左腰と腰の周囲で身体に締止可能な右ピース締止手段と、
前身頃の左側半分以上および後ろ身頃の左側半分以上を形成する左側身頃部、左肩に掛止可能な左肩掛止部ならびに右腰に締止可能な右腰締止部を有し、表地と裏地とからなる左ピースと、を備え、
前記右ピースおよび前記左ピースの少なくとも一方は、前記表地と前記裏地とがそれぞれ異なった色、柄、模様または織り方の生地であり、前身頃と後ろ身頃とが同一形状に形成されていることを特徴とする衣服。
【請求項２】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースは、それぞれ前身頃側と後ろ身頃側とにほぼ二分するように前記左肩掛止部の途中および前記右腰掛止部の途中で分離可能に構成されており、これらを分離して展開すると、着衣時における上下方向ほぼ中央から上下二つ折りに２枚重ねにした形状が、折り目部を有する一辺と、この折り目部から前記右腰掛止部に向けてほぼ直角に立ち上がり前記右腰掛止部から上方が内側に切り欠けて窪む切欠部を有する両側二辺と、前記折り目部の一辺に対向してほぼ中央から外側上方に突出する前記左肩掛止部を有する一辺と、からなる左右対称のほぼ凸字形状をなす上下対称形状の布地になることを特徴とする請求項１記載の衣服。
【請求項３】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースも、前記左側身頃部の裾部がスカート状に形成されるとともに、それぞれ前身頃側と後ろ身頃側とにほぼ二分するように前記左肩掛止部の途中および前記右腰包被部の途中で分離可能に構成されており、これらを分離して展開すると、前記右ピースと同形状をなす左右対称のほぼ凸字形状の布地になることを特徴とする請求項１記載の衣服。
【請求項４】
前記右ピースは、それぞれ前身頃側と後ろ身頃側とにほぼ二分するように前記右肩掛止部の途中および前記左腰掛止部の途中で分離可能に構成されており、これらを分離して展開すると、着衣時における上下方向ほぼ中央から上下二つ折りに２枚重ねにした形状が、折り目部を有する一辺と、この折り目部から前記左腰掛止部に向けてほぼ直角に立ち上がり前記左腰掛止部から上方が内側に切り欠けて窪む切欠部を有する両側二辺と、前記折り目部の一辺に対向してほぼ中央から外側上方に突出する前記右肩掛止部を有する一辺と、からなる左右対称のほぼ凸字形状をなす上下対称形状の布地になり、
前記左ピースも、それぞれ前身頃側と後ろ身頃側とにほぼ二分するように前記左肩掛止部の途中および前記右腰掛止部の途中で分離可能に構成されており、これらを分離して展開すると、前記右ピースと同形状をなす左右対称のほぼ凸字形状をなす上下対称形状の布地になることを特徴とする請求項１記載の衣服。
【請求項５】
前記右ピースまたは左ピースの少なくとも一方は、肩掛止部（右ピースの場合は前記右肩掛止部、左ピースの場合は前記左肩掛止部）の周囲を除いて前記表地と前記裏地との周囲は縫合されていることをことを特徴とする請求項１〜４のいずれか一項に記載の衣服。
【発明の詳細な説明】
【技術分野】
【０００１】
本発明は、左右に分離された２ピースからなり、右ピースと左ピースの一対により一着を構成する衣服に関するものである。なお、以下、「右」とは、当該衣服の着用者の右手側を指し、また「左」とは、同者の左手側を指すものとする。
【背景技術】
【０００２】
右ピースと左ピースの一対により一着を構成する衣服として、例えば下記特許文献１に開示される「介護用衣料」がある。この衣服は、着脱容易な介護用衣料として、衣服を左右に二分割して左側前後身頃袖と右側前後身頃袖とし、各前後身頃袖の前立部および後立部をそれぞれマジックテープ（登録商標）等の着接部材によって着接して一着の衣服としている（特許文献１のフロントページ）。
【先行技術文献】
【特許文献】
【０００３】
【特許文献１】特開２００１−９８４０３号公報
【発明の概要】
【発明が解決しようとする課題】
【０００４】
しかしながら、上記特許文献１による開示される衣服によると、後ろ身頃にマジックテープ（登録商標）等の着接部材を設ける構成を採ることから、背中側に着接部材が位置する。そのため、この衣服を着用してベッドに横たわると、仰向け状態では背中とベッドとの間に着接部材が介在するため、背中のゴツゴツした違和感から着心地が悪くなったり、着接部材の跡が背中に付いてしまうという問題がある。
【０００５】
また、この衣服では背中側に着接部材が位置することから、着衣の際には背中側で着接をする必要がある。そのため、例えば、身動きに不自由のある寝たままの要介護者にこの衣服を着せるには、背中が見えるように横臥状態に体を起こす必要があり、介護者に与える体力的な負担が増すという問題がある。
【０００６】
さらに、この衣服では着脱の容易を考慮して着接部材はマジックテープ（登録商標）等で構成されている。そのため、褥瘡（じょくそう）の防止に、一定時間ごとに要介護者の姿勢を変えようとした場合、介護者が衣服の左右両側を掴んで右側や左側に引き起こそうとして衣服を引っ張ると、着接部分が外れ易いという問題がある。
【０００７】
ところで、これまでの衣服は、一般に、上記特許文献１による開示される介護用衣服のように、部屋着、外出着、仕事着等、用途別に特化して構成されていたり、下着、腹巻き、ベスト、スカート等、身体の各部に適用するように適用部位別に構成されている。また、体格に合わせて複数のサイズが用意されていることが多い。
【０００８】
このため、従来の衣服においては、着る側、つまり需要者側にとっては、各用途別や適用部位部に何着も購入したり所有する必要がある一方、売る側、つまり供給者側にとっても品揃えをサイズ別に用意したり在庫をする必要がある。そのため、需要者・供給者のいずれも、経済的に不効率にならざるを得えないばかりか、資源の無駄遣いやＣＯ２の削減に逆行し得るという問題がある。
【０００９】
また、衣服である以上、身体を覆うことを目的としていることから、着衣以外の用途に使用されることは通常は考慮されていない。そのため、他の用途にも使用できる機能を備えたものと比べると、この点においても、経済的に不効率にならざるを得えないばかりか、資源の無駄遣いやＣＯ２の削減に逆行し得るという問題がある。
【００１０】
本発明は、上述した課題を解決するためになされたもので、資源の有効利用やＣＯ２の削減を促進し得る衣服を提供することを目的とする。
また、本発明の別の目的は、身動きの不自由な寝たままの要介護者に適した衣服を提供することを目的とする。
【課題を解決するための手段】
【００１１】
上記目的を達成するため、特許請求の範囲に記載された請求項１の技術的手段を採用する。この手段によると、右ピースは、「前身頃の右側半分以上および後ろ身頃の右側半分以上を形成する右側身頃部」、「右肩に掛止可能な右肩掛止部」ならびに「左腰を包被可能な左腰包被部」を有し、左ピースは、「前身頃の左側半分以上および後ろ身頃の左側半分以上を形成する左側身頃部」、「左肩に掛止可能な左肩掛止部」ならびに「右腰に締止可能な右腰締止部」を有し、右ピースは右ピース締止手段により左腰と腰の周囲で身体に締止される。そして、右ピースおよび左ピースの少なくとも一方は、表地と裏地とがそれぞれ異なった色、柄、模様または織り方の生地であり、前身頃と後ろ身頃とが同一形状に形成されている。
【００１２】
これにより、右ピースおよび／または左ピースは、前身頃と後ろ身頃とが同一形状に形成されるので、裏表に返しても違和感なく着用、つまりリバーシブルで使用することができる。また、表地と裏地とがそれぞれ異なった色、柄、模様または織り方の生地であるため、生地の種類を適宜選択することにより、表側と裏側とで異なったＴＰＯに適応可能な衣服を構成することができる。さらに、このような表地と裏地の異なった生地の組み合わせを左右の両ピースについて設定することで、一着の衣服でありながら４通りの組み合わせ（右：表・左：表，右：表・左：裏，右：裏・左：表，右：裏・左：裏）を楽しむことができる。例えば、表地はフォーマルに適した生地、裏地は普段着に適した生地、に設定することで、両方の場面で着用可能な衣服を構成することができる。また、右ピースは右ピース締止手段により腰の周囲で身体に締止され、また左ピースは右腰締止部により右腰に締止されるので、左右の両ピースとも腰を中心に身体に固定される。そのため、上半身および下半身に対して比較的ゆったりとしたサイズで構成することができるので、いわゆるフリーサイズにすることができる。
【００１３】
また、右ピースおよび左ピースのいずれも、腰を中心に身体に固定されているので、例えば、身動きの不自由な寝たままの要介護者に着せる場合でも、横たわった状態の要介護者の腰の下側から、左右ピースの一部を通して腰に締止させることで、背中を起こすことなく容易に着用することができる。さらに、締止する腰に対して対角状に位置する側の肩（右ピースの場合には左腰と右肩、左ピースの場合には右腰と左肩）に掛止するように構成されているので、左右の両ピースを同時に掴んで引き上げることにより、要介護者の腰と肩を力点としたタスキがけ状に力が加わるため、要介護者の姿勢を比較的容易に変えることができる。このため、着衣時や脱衣時だけでなく、褥瘡（じょくそう）の防止作業時においても、介護者の体力的な負担を軽減することが可能となる。
【００１４】
また、特許請求の範囲に記載された請求項２の技術的手段を採用する。この手段によると、右ピースは、前身頃側と後ろ身頃側とにほぼ二分するように右肩掛止部の途中および左腰包被部の途中で分離して展開すると、スカート状の裾部を有する一辺と、この裾部から左腰包被部に向けてほぼ直角に立ち上がり左腰包被部から上方が内側に切り欠けて窪む切欠部を有する両側二辺と、裾部の一辺に対向してほぼ中央から外側上方に突出する右肩掛止部を有する一辺と、からなる左右対称のほぼ凸字形状の布地になる。また、左ピースも、それぞれ前身頃側と後ろ身頃側とにほぼ二分するように左肩掛止部の途中および右腰掛止部の途中で分離して展開すると、着衣時における上下方向ほぼ中央から上下二つ折りに２枚重ねにした形状が、折り目部を有する一辺と、この折り目部から右腰掛止部に向けてほぼ直角に立ち上がり右腰掛止部から上方が内側に切り欠けて窪む切欠部を有する両側二辺と、折り目部の一辺に対向してほぼ中央から外側上方に突出する左肩掛止部を有する一辺と、からなる左右対称のほぼ凸字形状をなす上下対称形状の布地になる。これにより、例えば、正方形状をなす生地を２枚用意して、それを左右対称に裁つことで容易に裁断できるので、複雑な型紙等を起こすことなく、右ピースおよび左ピースを簡単に作ることができる。
【００１５】
さらに、特許請求の範囲に記載された請求項３，４の技術的手段を採用することにより、左右の両ピースは、いずれも同じ形状をしているので、さらに簡単に両ピースを作ることができる。
【００１６】
また、特許請求の範囲に記載された請求項５の技術的手段を採用する。この手段によると、右ピースは、右肩掛止部の周囲を除いて表地と地との周囲は縫合され、左ピースは、左肩掛止部の周囲を除いて表地と裏地との周囲は縫合されている。これにより、左右の両ピースは、右肩掛止部または左肩掛止部の周囲が開口する袋状に縫製されるので、右ピースおよび左ピースは、衣服としての用途だけでなく、袋としても使用可能なものとなる。
【発明の効果】
【００１７】
請求項１の発明では、右ピースおよび／または左ピースは、前身頃と後ろ身頃とが同一形状に形成されるので、違和感なくリバーシブルにすることができる。また、表地と裏地とがそれぞれ異なった色、柄、模様または織り方の生地であるため、生地の種類を適宜選択することにより、表側と裏側とで異なったＴＰＯに適応可能な衣服を構成することができる。さらに、このような表地と裏地の異なった生地の組み合わせを左右、両ピースについて設定することで、一着の衣服でありながら４通りの組み合わせを楽しむことができる。また、右ピースは右ピース締止手段により腰の周囲で身体に締止され、また左ピースは右腰締止部により右腰に締止されるので、左右、両ピースとも腰を中心に身体に固定される。そのため、上半身および下半身に対して比較的ゆったりとしたサイズで構成することができるので、いわゆるフリーサイズにすることができる。しがって、従来の衣服のように、需要者側においては、各用途別や適用部位部に何着も購入したり所有する必要がなくなる一方で、供給者側においても、品揃えをサイズ別に用意したり在庫をする必要がなくなるので、需要者・供給者のいずれも経済的な効率が改善されて、資源の有効利用やＣＯ２の削減を促進することが可能となる。
【００１８】
また、右ピースおよび左ピースのいずれも、腰を中心に身体に固定しているので、例えば、身動きの不自由な寝たままの要介護者に着せる場合でも、横たわった状態の要介護者の腰の下側から、左右ピースの一部を通して腰に締止させることで、背中を起こすことなく容易に着用することができる。さらに、締止する腰に対して対角状に位置する側の肩（右ピースの場合には左腰と右肩、左ピースの場合には右腰と左肩）に掛止するように構成されているので、左右両ピースの同時に掴んで引き上げることにより、要介護者の腰と肩を力点としたタスキがけ状に力が加わるため、要介護者の姿勢を比較的容易に変えることができる。このため、着衣時や脱衣時だけでなく、褥瘡（じょくそう）の防止作業時においても、介護者の体力的な負担を軽減することが可能となる。したがって、身動きの不自由な寝たままの要介護者に適した衣服を提供することができる。
【００１９】
請求項２〜４の発明では、例えば、正方形状をなす生地を２枚用意して、それを左右対称に裁つことで容易に裁断できるので、複雑な型紙等を起こすことなく、右ピースおよび左ピースを簡単に作ることができる。
【００２０】
さらに、請求項３，４の発明では、左右の両ピースは、いずれも同じ形状をしているので、より一層簡単に両ピースを作ることができる。
【００２１】
請求項５の発明では、左右の両ピースは、右肩掛止部または左肩掛止部の周囲が開口する袋状に縫製されるので、右ピースおよび左ピースは、衣服としての用途だけでなく、袋としても使用可能なものとなる。これにより、例えば、レジ袋を提供しないスーパーマーケットにおいてエコバック等の持参を忘れたとしても、右ピースまたは左ピースのいずれか一方を脱いで購入品を入れて持ち帰ることができる点で、不要なレジ袋の消費と生産を抑制することができる。したがって、単に衣服としてのみ機能するものに比べて、資源の有効利用やＣＯ２の削減を促進することが可能となる。
【図面の簡単な説明】
【００２２】
【図１】本発明の実施形態に係る衣服の基本的な構成例を示す説明図である。
【図２】本実施形態に係る衣服をマネキンに着用させた状態を示す説明図で、図２(A)は前側、図２(B)は後側、図２(C)は右側、図２(D)は左側、からそれぞれ見た例である。
【図３】本実施形態に係る衣服の非着用状態を示す説明図で、図３(A)は右ピース、図３(B)は左ピースである。
【図４】本実施形態の衣服を構成する左ピースの裁断工程を示す説明図である。
【図５】図５(A)は左ピースの縫合箇所を示す説明図で、図５(B)は縫合製後の左ピースを示す説明図、図５(C)は内側に折り込む部分を示す説明図である。
【図６】本実施形態の衣服を構成する右ピースの裁断工程を示す説明図である。
【図７】図７(A)は右ピースの縫合箇所を示す説明図で、図７(B)は縫合後の右ピースを示す説明図、図７(C)は内側に折り込む部分を示す説明図である。
【図８】本実施形態に係る衣服の着用手順の例を示す説明図である。
【図９】本実施形態の衣服の着用バリエーションの例を示す説明図である。
【図１０】本実施形態の衣服の他の構成例を示す説明図で、裏表にした右ピースを左身頃用に適用した例である。
【図１１】本実施形態の衣服の他の構成例を示す説明図で、裏表にした左ピースを右身頃用に適用した例である。
【図１２】本実施形態の衣服のポケット部分を示す説明図である。
【図１３】本実施形態の衣服を袋として使用する例を示す説明図である。
【図１４】左ピースをベストとしてマネキンに着用させた状態を示す説明図で、図１４(A)は前側、図１４(B)は後側、図１４(C)は右側、図１４(D)は左側、からそれぞれ見た例である。
【図１５】右ピースをワンピースとしてマネキンに着用させた状態を示す説明図で、図１５(A)は前側、図１５(B)は後側、図１５(C)は右側、図１５(D)は左側、からそれぞれ見た例である。
【発明を実施するための形態】
【００２３】
以下、本発明の衣服の実施形態について図を参照して説明する。まず、図１〜図３に基づいて本実施形態に係る衣服の構成を説明する。
本実施形態に係る衣服１０は、左右に分離された２ピース（２片）からなり、右ピース２０と左ピース３０の一対により一着を構成するもので、その基本的な構成が図１に図示されている。また、図２には衣服１０をマネキンＭに着用させた状態が図示されている。さらに図３には、衣服１０の非着用状態が図示されている。なお、このマネキンＭは９号サイズである。また当該衣服１０を着用する者のことを以下「着用者」と称する。  
【００２４】
図１および図２に示すように、衣服１０は、主に、右ピース２０、左ピース３０、腰紐５２等により構成されており、着用していない状態（非着用状態）においては、図３に示すように、右ピース２０と左ピース３０とが完全に分離されてそれぞれほぼ左右対称形状をなす（図３(A)：右ピース２０、図３(B)：左ピース３０）。
【００２５】
右ピース２０は、右前身頃２０ａおよび右後ろ身頃２０ｂからなる右側身頃部と、右肩に掛止可能な右肩掛止部２２と、左腰を包被可能な左腰包被部２３と、を主に構成する右側布片で、後述するように、生地の種類が異なる表地と裏地により縫製されている。この右ピース２０は、次に説明する左ピース３０とは裾部の形状が異なり、右側身頃部の右裾部２０ｄにはスカート状を有するスカート部２８が形成されている。
【００２６】
右前身頃２０ａは、右ピース２０のうち、前身頃の右側半分以上、例えば、右肩上部から腰部左側にかけて胸部右側、腹部、腰部左側さらには左右両足の膝上方程度までを覆うもので、スカート部２８の前側部分が含まれる。これに対し、右後ろ身頃２０ｂは、右ピース２０のうち、後ろ身頃の右側半分以上、右肩上部から臀部左側にかけて背部右側、腰部、臀部左側さらには左右両足の膝裏上方程度までを覆うもので、これにはスカート部２８の後側部分が含まれる。なお、本実施形態では、一辺が１１０cmの正方形状をなす生地を裁断して構成し、身長１６０cm程度の女性が着用する場合を想定している。
【００２７】
右肩掛止部２２は、短冊状に形成された２つの掛止片２２ａ，２２ｂからなり、掛止片２２ａは右前身頃２０ａから突出するように、また掛止片２２ｂは右後ろ身頃２０ｂから突出するように、それぞれ形成されている。即ち、図３(A)に示すように、右前身頃と右後ろ身頃とにほぼ二分するように右肩掛止部２２の途中で分離可能に掛止片２２ａ，２２ｂにより構成されており、留め具４２により両者を締結することで、右肩掛止部２２として機能し得るように構成されている。
【００２８】
左腰包被部２３は、幅広の帯状に形成された２つの包被片２３ａ，２３ｂからなり、これらは右裾部２０ｄ側に向けてスカート部２８を形成するように構成されている。本実施形態では、後述するように、裁断工程において、着用時の上方に向けて当該左腰包被部２３から内側に切り欠けて窪むように切欠部２５，２６が形成されており、この切欠部２５，２６に前述した右肩掛止部２２が繋がるように構成されている。即ち、図３(A)に示すように、右前身頃と右後ろ身頃とにほぼ二分するように左腰包被部２３の途中で分離可能に包被片２３ａ，２３ｂにより構成されており、着用した状態では両者が一部または全部で重なった状態を維持するように腰紐５２等により左腰等に固定することで、左腰包被部２３として機能し得るように構成されている。
【００２９】
また、この左腰包被部２３の一部には、縫合されていない部分が包被片２３ａ，２３ｂのそれぞれに形成されており、例えば、この包被片２３ａの非縫合部（後述する左腰包被部２３の非縫合部Ｋ’）から挿入した腰紐５２を右ピース２０の内側を通して反対側の包被片２３ｂの非縫合部から取り出し可能に構成されている。
【００３０】
スカート部２８は、図３(A)に示すように、左腰包被部２３から連続して形成されるほぼ矩形状の布片で、腰回りに巻き付けたときに筒状体を形成し得るように構成されている。本実施形態では、前述したように一辺が１１０cmの正方形状をなす生地を裁断して構成しているため、身長１６０cm前後の女性が着用したときにはスカート裾が膝に掛かる程度のスカート丈になっているが、着用者の好みや流行等に合わせたスカート丈になるように裁断前の生地の大きさや長さを選択しても良く、特に正方形状である必要はない。なお、裁断時には、スカート丈を長めに設定して、使用時に必要に応じて、折り込んだり、たくし上げたりしてスカート丈を調整しても良い。
【００３１】
このように構成される右ピース２０は、腰紐５２（例えば２ｍ程度の長さ）によって左腰と腰の周囲で着用者の身体に締止される。即ち、右ピース２０は、次に説明する左ピース３０と異なり、それ自体に着用者に固定する手段を備えていない。そのため、紐状、帯状またはベルト状の別部材（本実施形態では腰紐５２（右ピース締止手段））を右ピース２０の上から着用者の腰の回りに巻き付け、例えば左側の腰骨（左腰）上で緩まないように結んだり固定したりすることによって、着用者の左腰やその周囲に右ピース２０を締止可能にしている。なお、本実施形態では、前述のように、右ピース２０の縫製時に一部縫合をしない部位（図７に示す左腰包被部２３の非縫合部Ｋ’）を左腰包被部２３の包被片２３ａ，２３ｂに設定することにより、腰紐５２を右ピース２０の内側に挿通して取付可能に構成している。
【００３２】
左ピース３０は、左前身頃３０ａおよび左後ろ身頃３０ｂからなる左側身頃部と、左肩に掛止可能な左肩掛止部３２と、右腰に締止可能な右腰締止部３４と、を主に構成する左側布片で、これも右ピース２０と同様に、生地の種類が異なる表地と裏地により縫製されている。この右ピース２０は、前述した右ピース２０とは左裾部３０ｄ（裾部）の形状が異なり、着用状態において下方に突出する突出部３９が形成されている。
【００３３】
左前身頃３０ａは、左ピース３０のうち、前身頃の左側半分以上、例えば、左肩上部から腰部右側にかけて胸部左側、腹部、腰部右側さらには左足の膝上方程度までを覆うものである。これに対し、左後ろ身頃３０ｂは、左ピース３０のうち、後ろ身頃の左側半分以上、左肩上部から臀部右側にかけて背部左側、腰部、臀部左側さらには左足の膝裏上方程度までを覆うものである。なお、本実施形態では、右ピース２０と同様に、一辺が１１０cmの正方形状をなす生地を裁断して構成している。
【００３４】
左肩掛止部３２は、右ピース２０の右肩掛止部２２と同様に、短冊状に形成された２つの掛止片３２ａ，３２ｂからなり、掛止片３２ａは左前身頃３０ａから突出するように、また掛止片３２ｂは左後ろ身頃３０ｂから突出するように、それぞれ形成されている。即ち、図３(B)に示すように、左前身頃と左後ろ身頃とにほぼ二分するように左肩掛止部３２の途中で分離可能に掛止片３２ａ，３２ｂにより構成されており、留め具４３により両者を締結することで、左肩掛止部３２として機能し得るように構成されている。
【００３５】
突出部３９は、左肩掛止部３２とは反対方向、つまり着用状態において下方に突出するもので、左肩掛止部３２と同様に、短冊状に形成された２つの突出片３９ａ，３９ｂからなる。即ち、突出部３９は、後述する裁断工程において、左肩掛止部３２と共に裁たれるため、図３(B)に示すように、左肩掛止部３２と同形状をなしている。また、左ピース３０は、同図からもわかるように、上下左右ともに対称形状であることから、着衣時に上下逆に着用することで、突出部３９は左肩掛止部３２としても機能し得る。つまり、この突出部３９は、特許請求の範囲に記載の「左肩掛止部」に相当し得るものである。
【００３６】
右腰締止部３４は、着用者の腰回りに左ピース３０を固定するために用いられるもので、図３(B)に示すように、左肩掛止部３２や突出部３９にほぼ直交して左右両側に突出する短冊形状の締止片３４ａ，３４ｂから構成されている。本実施形態では、後述するように、裁断工程において、着用時の上方に向けて当該右腰締止部３４から内側に切り欠けて窪むように切欠部３５，３６が形成されており、この切欠部３５，３６に前述した左肩掛止部３２が繋がるように構成されている。また、着用時の下方に向けても、当該右腰締止部３４から内側に切り欠けて窪むように切欠部３７，３８が形成されており、この切欠部３７，３８に前述した突出部３９が繋がるように構成されている。なお、本実施形態では、これら切欠部３５，３６，３７，３８は、裁断工程において同時に裁たれて形成される。
【００３７】
このように構成される右腰締止部３４の締止片３４ａ，３４ｂを腰回りに巻き付けた左ピース３０とともに右側の腰骨（右腰）上で結わえることによって、右腰およびその回りに左ピース３０を締止可能にしている。なお、本実施形態では、後述するように、左ピース３０の縫製時に締止片３４ａ，３４ｂの短辺側を縫合をしないようにすることによって、別途用意するベルトを締止片３４ａ，３４ｂを介して左ピース３０の内側に挿通して取付可能に構成している。
【００３８】
なお、図３(A)に示す切欠部２５，２６や図３(B)に示す切欠部３５，３６，３７，３８は、ほぼ三角形状をなす切欠形状に形成されているが、後述するように、裁断時や縫製時には、ほぼ矩形状をなすように切欠部が形成されている（図４〜図７に示す符号α）。そのため、縫製後に残った「矩形状の角部」を、袋状に縫合した表地と裏地の間に形成される空間内に裏返して収容、つまり袋内に入れ込むように内側に押し込むことによって、図１および図２に示すような三角形状をなす切欠部２５，２６，３５〜３８が形成される。なお着用時の衣服１０においては、図１に示すように、これらの切欠部２５等のうち、切欠部２５，２６は右衿ぐり部２０ｅを構成し、また切欠部３５，３６は左衿ぐり部３０ｅを構成する。これにより、図１および図２に示すように、右ピース２０および左ピース３０は、首から胸部にかけてＶ字状に斜めをなすように「衿ぐり」が形成される。
【００３９】
また、図３(A)や図３(B)に示すように、右肩掛止部２２や左肩掛止部３２に形成されるＵ字形状をなす切欠部（図４〜図７に示す符号β）は、着用時の衣服１０においては、図１に示すように、右袖ぐり部２０ｃや左袖ぐり部３０ｃを構成する。これにより、右ピース２０や左ピース３０には「袖ぐり」が形成される。
【００４０】
なお、表地と裏地とで生地の種類が異なる例としては、表地を「綿」を主とした生地、裏地を「麻」を主とした生地、にそれぞれ設定するものが挙げられる。これにより、夏場等の気温が高い時期に好適な衣服１０を構成することができる。また、表地を「絹」を主とした生地、裏地を「毛」を主とした生地、にそれぞれ設定することで、冬場等の気温が低い時期に好適な衣服１０を構成することができる。これらの場合には、その季節に合わせた通気性や保温性を確保することができるので、不必要な冷暖房を抑制して資源の有効利用やＣＯ２の削減を促進することが可能となる。
【００４１】
また、表地のデザインを「作業や仕事に適した作業着用や仕事着用のもの」とし、裏地のデザインを「会食に適したフォーマルなもの」とすることで、表側と裏側とで異なったＴＰＯに適応可能な衣服１０を構成することができる。さらに、表地の色彩を「パステル調」とし、裏地の色彩を「原色系」にしたり、また表地の柄を「比較的単純な繰り返しパターン」とし、裏地の柄を「キャラクタデザイン」とすることで、相手に対して表裏で全く異なった印象を与える衣服１０を構成することができる。また、生地の織り方を表地と裏地とで変えても良い。これにより、需要者側においては、各用途別や適用部位部に何着も購入したり所有する必要がなくなる一方で、供給者側においても、品揃えをサイズ別に用意したり在庫をする必要がなくなるので、需要者・供給者のいずれも経済的な効率が改善されて、資源の有効利用やＣＯ２の削減を促進することが可能となる。
【００４２】
次に、図４〜図７に基づいて、右ピース２０および左ピース３０の製作工程を説明する。なお、図４には左ピース３０の裁断工程の例が図示されており、また図５には左ピース３０の縫合例が図示されている。さらに図６には右ピース２０の裁断工程の例が図示されており、また図７には右ピース２０の縫合例が図示されている。
【００４３】
なおここでは、裁断作業の効率化を考慮して、図４および図５に示す左ピース３０の製作工程を先に説明してから、図６および図７に示す右ピース２０の製作工程を説明する。
【００４４】
図４に示すように、左ピース３０の製作では、まず正方形状をなす生地１００を２枚用意する。この生地１００は、例えば一辺が１１０cmに設定されている。
【００４５】
図４(A)〜図４(C)に示すように、左ピース３０の製造工程では、まず正方形状の生地１００を四つ折りにする。即ち、図４(A)に示すように＃印同士および※印同士が合わさるように生地１００を二つ折りにした後、図４(B)に示すように＊印同士および※印同士が合わさるように生地１００をさらに二つ折りにすると、図４(C)に示すように４枚重ねの正方形状が形成される。なお、図４(A)に示す黒丸は、生地１００の中心に表すもので、二つ折り時には半円形状、四つ折り時には1/4円形状になって現れている（図４(A)〜図４(F)）。
【００４６】
次に図４(D)に示すように、四つ折りにされた生地１００に対して、四つ折り前の四隅の角が重なる＊印の角部を中心にその角部を含めてＬ字形状に除去、つまり切欠部αを形成するように生地１００を裁つ。また、四つ折りにした折り目に沿ってこの折り目を含めてＪ字形状に除去、つまり切欠部βを形成するように生地１００を裁つ。このとき型紙を用いるとしても、その形状は比較的単純な「Ｌ字形状」や「Ｊ字形状」であるので、簡易に型紙を作成することができる。
【００４７】
切欠部α，βを形成した後は、図４(D)や図４(E)に示すように、折り目を開くことによって、全体が展開されて左ピース３０を形成する１枚の布地１３０が出来上がる。例えば、この布地１３０を表地とすると、裏地も布地１３０と同様に折り込んだ後に裁断することで、もう１枚の布地１３０’（裏地）が出来上がる。
【００４８】
図４に示す裁断工程を経て形成された布地１３０（表地），１３０’（裏地）を２枚合わせて縫製する。即ち、図５(A)に示すように、２枚重ね合わせた布地１３０，１３０’の周囲のうち、左肩掛止部３２の周囲Ｊと突出部３９の周囲Ｊとを除いた全周を縫合する（縫い目１３０ｘ，１３０ｙ，１３０ｚ）。これにより、表地と裏地とが接合されて一枚の左ピース３０が完成する（図５(B)参照）。
【００４９】
なお、左肩掛止部３２や突出部３９の周囲Ｊに加えて、右腰締止部３４の短辺Ｌ側も除くように縫合しても良い。これにより、前述したように、別途用意するベルトを締止片３４ａ，３４ｂを介して左ピース３０の内側に挿通して取付可能に構成することができる。またこのように左ピース３０内を貫通するベルトの左ピース３０内での移動を規制するため、図５(A)に示すように、締止片３４ａ，３４ｂの幅とほぼ同じ間隔で位置する縫い目１３０ｗを２条形成する。これにより、筒状をなすベルト通孔が左ピース３０内に形成されるので、このベルト通孔内に後述するベルト５３を通すことで、右腰締止部３４だけでなく、ベルト５３によって、着用者の腰部に左ピース３０をさらに強固に締止することが可能となる。
【００５０】
なお、図５(C)では、前述した縫製後に残った矩形状の角部Ｎを、袋状に縫合した表地と裏地の間に形成される空間内に裏返して収容するように内側に入れ込む深さの一例を一点鎖線Ｌにより表している。なお、同図において、表地の布地１３０を一点鎖線Ｌ相当で折り返して裏地の布地１３０’を示しているのは、内側に入れ込む範囲を明確に表すためのものであるが、このように単に内側に折り込んでも良い。
【００５１】
次に、右ピース２０の製作工程を図６および図７を参照して説明する。図６に示すように、右ピース２０の製作においても、左ピース３０の製作と同様、正方形状をなす生地１００を２枚用意する。この生地１００も、例えば一辺が１１０cmに設定されている。
【００５２】
図６(A)、図６(B)に示すように、右ピース２０の製造工程では、まず正方形状の生地１００を二つ折りにする。即ち、図６(A)に示すように＄印同士および￥印同士が合わさるように生地１００を二つ折りにすると、図６(B)に示すように２枚重ねの縦長の長方形状が形成される。なお、図６(A)に示す黒丸は、右ピース２０の製造工程の説明の場合と同様に、生地１００の中心に表すもので、二つ折り時には半円形状になって現れている（図６(A)〜図６(D)）。
【００５３】
次に図６(C)に示すように、二つ折りにされた生地１００に対して、二つ折り前の＄印の角が重なる＄印の角部を中心にその角部を含めてＬ字形状に除去、つまり切欠部αを形成するように生地１００を裁つ。また、二つ折りにした折り目に沿ってこの折り目を含めてＪ字形状に除去、つまり切欠部βを形成するように生地１００を裁つ。
【００５４】
なお、この切欠部α，βの形状は、左ピース３０を裁断した際に用いたものと同じである。そのため、切欠部α用のＬ字形状の型紙や切欠部β用のＪ字形状の型紙を新たに起こす必要はなく、左ピース３０の裁断時に用いた型紙をそのまま使用することができる。またこのような型紙を作成することなく、左ピース３０を裁断した場合には、裁断後の左ピース３０の折り畳んだ形状（図４(D)に示すもの）をそのまま型紙として使用することで、右ピース２０も容易に裁つことができる。
【００５５】
切欠部α，βを形成した後は、図６(C)や図６(D)に示すように、折り目を開くことによって、全体が展開されて右ピース２０を形成する１枚の布地１２０が出来上がる。例えば、この布地１２０を表地とすると、裏地も布地１２０と同様に折り込んだ後に裁断することで、もう１枚の布地１２０’（裏地）が出来上がる。
【００５６】
図６に示す裁断工程を経て形成された布地１２０（表地），１２０’（裏地）を２枚合わせて縫製する。即ち、図７(A)に示すように、２枚重ね合わせた布地１２０，１２０’の周囲のうち、右肩掛止部２２の周囲Ｊと左腰包被部２３の非縫合部Ｋ’を除いた全周を縫合する（縫い目１２０ｘ，１２０ｙ，１２０ｚ）。これにより、表地と裏地とが接合されて一枚の右ピース２０が完成する（図７(B)参照）。なお、この左腰包被部２３の非縫合部Ｋ’には、前述した腰紐５２が通る。
【００５７】
なお、図７(C)では、前述した縫製後に残った矩形状の角部Ｎを、袋状に縫合した表地と裏地の間に形成される空間内に裏返して収容するように内側に入れ込む深さの一例を一点鎖線Ｌにより表している。なお、同図において、表地の布地１２０を一点鎖線Ｌ相当で折り返して裏地の布地１２０’を示しているのは、内側に入れ込む範囲を明確に表すためのものであるが、このように単に内側に折り込んでも良い。
【００５８】
ここで、右ピース２０および左ピース３０の展開形状について説明をする。図６(D)に示すように、右ピース２０の展開形状は、スカート状の右裾部２０ｄを有する辺１２０ａと、この右裾部２０ｄから包被片２３ａ，２３ｂ（左腰包被部２３）に向けてほぼ直角に立ち上がり左腰包被部２３から上方が内側に切り欠けて窪む切欠部αを有する両側の２つの辺１２０ｂと、右裾部２０ｄの辺１２０ａに対向してほぼ中央から外側上方に突出する掛止片２２ａ，２２ｂ（右肩掛止部２２）を有する辺１２０ｃと、からなる左右対称のほぼ凸字形状になる。
【００５９】
また、図４(F)に示すように、左ピース３０の展開形状は、着衣時における上下方向ほぼ中央から上下二つ折りに２枚重ねにした形状、つまり図４(E)に示す形状が、折り目部を有する辺１３０ａと、この折り目部から締止片３４ａ，３４ｂ（右腰締止部３４）に向けてほぼ直角に立ち上がり右腰掛止部３４から上方が内側に切り欠けて窪む切欠部αを有する両側の２つの辺１３０ｂと、折り目部の辺１３０ａに対向してほぼ中央から外側上方に突出する掛止片３２ａ，３２ｂ（左肩掛止部３２）を有する辺１３０ｃと、からなる左右対称のほぼ凸字形状をなす、図４(F)に示す上下対称形状になる。
【００６０】
これにより、上述したように、正方形状をなす生地を２枚用意して、それを左右対称に裁つことで容易に裁断できるので、複雑な型紙等を起こすことなく、右ピース２０および左ピース３０を簡単に作ることができる。
【００６１】
続いて、図８を参照して衣服１０の着用順序の例を説明する。図８には、マネキンＭに衣服１０を着用する手順が各ステップごとに図示されている。これまでに説明したように、衣服１０は、右ピース２０と左ピース３０とが左右に分離されているので、これらを同時に装着することは難しい。このため、本実施形態では、左ピース３０よりも内側に着る右ピース２０を先に着てから、左ピース３０をそれに重ねて装着する。
【００６２】
図８(A)に示すように、まず右ピース２０のスカート部２８によって、腰部、臀部および大腿部を覆うように右ピース２０を腰の回りに巻き付けてから、腰紐５２によって腰回りに右ピース２０を固定する。その際、右ピース２０を通る腰紐５２は、腰に巻いた後、例えば、左腰骨上部で結わえ腰回りに右ピース２０を固定する（図８に示す符号５２ａ）。
【００６３】
次に、右ピース２０の右肩掛止部２２に右腕を通して右肩に右肩掛止部２２を掛止する。これにより、図８(B)に示すように、右ピース２０の右前身頃２０ａにより右側胸部が覆われ、後ろ身頃２０ｂにより右側背部が覆われて、右ピース２０の装着作業が終了する。
【００６４】
続いて、左ピース３０を装着する。図８(C)に示すように、右ピース２０のときと同様に左ピース３０を腰の回りに巻き付けてから右腰締止部３４の締止片３４ａ，３４ｂで右腰骨上部に結わえて腰回りに左ピース３０を固定する（図８に示す符号３４）。
【００６５】
次に、図８(D)に示すように、左ピース３０の左肩掛止部３２に左腕を通して左肩に左肩掛止部３２を掛止する。これにより、図８(E)に示すように、左ピース３０の左前身頃３０ａにより左胸部が覆われ、左後ろ身頃３０ｂにより左側背部が覆われて、左ピース３０の装着作業が終了する。つまり、衣服１０の着用が完了する。
【００６６】
このように本実施形態に係る衣服１０は、右ピース２０と左ピース３０とが左右に分離されているので、着用者やマネキンＭが着用することにより、一着の衣服１０として概念することが可能となるが、着こなしの工夫によってデザインが変化する。そのため、ここでは、図９を参照してその例を紹介する。
【００６７】
例えば、図９(A)に示す例では、左ピース３０の左前身頃３０ａに切欠部３５を形成することなく、即ち縫製後に残った矩形状の角部Ｎ（図５参照）を袋状に縫合した表地と裏地の間に形成される空間内に裏返して収容することなく、外側に向けて折って裏地を出すようにしている。これにより、通常は外から見えない裏地が三角状に現れるため（同図の符号３５ａ）、そのぶんお洒落な着こなしができる。
【００６８】
また、図９(B)に示すように、左ピース３０の下方に形成される突出部３９をその上方内側にに折り込んで収容することで、右ピース２０のスカート部２８をより強調した着こなしができる。さらに、図９(C)に示す例では、左ピース３０の下方に切欠部３７を形成することなく、縫製後に残った矩形状の角部Ｎ（図５参照）をそのまま下方に垂らして状態にしている。また、図９(D)に示す例は、この図９(C)に示す着方において、左ピース３０に通したベルト５３によって左ピース３０を腰回りに固定するものである。
【００６９】
以上説明したように本実施形態に係る衣服１０によると、右ピース２０は、前身頃の右側半分以上を含む右前身頃２０ａと、後ろ身頃の右側半分以上を含む右後ろ身頃２０ｂと、右肩に掛止可能な右肩掛止部２２と、左腰を包被可能な左腰包被部２３とを有し、左ピース３０は、前身頃の左側半分以上を含む左前身頃３０ａと、後ろ身頃の左側半分以上を含む左後ろ身頃３０ｂと、左肩に掛止可能な左肩掛止部３２と、右腰に締止可能な右腰締止部３４と、を有し、右ピース２０は腰紐５２により左腰と腰の周囲で身体に締止される。そして、右ピース２０および左ピース３０の少なくとも一方は、表地と裏地とがそれぞれ異なった色、柄、模様または織り方の生地であり、前身頃と後ろ身頃とが同一形状に形成されている。
【００７０】
これにより、右ピース２０および／または左ピース３０は、前身頃と後ろ身頃とが同一形状に形成されるので、リバーシブルで使用することができる。また、表地と裏地とがそれぞれ異なった色、柄、模様または織り方の生地であるため、生地の種類を適宜選択することにより、表側と裏側とで異なったＴＰＯに適応可能な衣服を構成することができる。さらに、このような表地と裏地の異なった生地の組み合わせを左右の両ピースについて設定することで、一着の衣服でありながら４通りの組み合わせ（右：表・左：表，右：表・左：裏，右：裏・左：表，右：裏・左：裏）を楽しむことができる。
【００７１】
例えば、表地はフォーマルに適した生地、裏地は普段着に適した生地、に設定することで、両方の場面で着用可能な衣服を構成することができる。また、右ピース２０は腰紐５２により腰の周囲で身体に締止され、また左ピース３０は右腰締止部３４により右腰に締止されるので、左右の両ピース２０，３０とも腰を中心に身体に固定される。そのため、上半身および下半身に対して比較的ゆったりとしたサイズで構成することができるので、いわゆるフリーサイズにすることができる。しがって、従来の衣服のように、需要者側においては、各用途別や適用部位部に何着も購入したり所有する必要がなくなる一方で、供給者側においても、品揃えをサイズ別に用意したり在庫をする必要がなくなるので、需要者・供給者のいずれも経済的な効率が改善されて、資源の有効利用やＣＯ２の削減を促進することが可能となる。
【００７２】
また、右ピース２０および左ピース３０のいずれも、腰を中心に身体に固定されているので、例えば、身動きの不自由な寝たままの要介護者に着せる場合でも、横たわった状態の要介護者の腰の下側から、左右ピース２０，３０の一部を通して腰に締止させることで、背中を起こすことなく容易に着用することができる。さらに、締止する腰に対して対角状に位置する側の肩（右ピース２０の場合には左腰と右肩、左ピース３０の場合には右腰と左肩）に掛止するように構成されているので、左右の両ピース２０，３０を同時に掴んで引き上げることにより、要介護者の腰と肩を力点としたタスキがけ状に力が加わるため、要介護者の姿勢を比較的容易に変えることができる。このため、着衣時や脱衣時だけでなく、褥瘡（じょくそう）の防止作業時においても、介護者の体力的な負担を軽減することが可能となる。したがって、身動きの不自由な寝たままの要介護者に適した衣服を提供することができる。
【００７３】
なお、図１０に示す衣服１０’のように、右ピース２０と同じ形状をしたものを左ピース３０の代わりに着用しても良い。即ち、右ピース２０と、右ピース２０と左右対称の形状からなる左ピース２０’と、によって、左右に分離された２ピースからなる一着を構成しても良い。なお、図１０において、「’（ダッシュ）」が付されている符号が指し示すものは、その「’」の付いていない符号が指し示すものと「左右対称形状」である点を除き、ほぼ同一に構成されていることを意味している。そのため、ここでは「’」付きの符号が付されているものの説明を省略する。
【００７４】
これにより、左右の両ピース２０，２０’は、左右対称である点を除きいずれも同じ形状をしているので、右ピース２０を作成してそれを裏表にすることで、左ピース２０’を実現することができる。したがって、右ピース２０を裁つのと同様に左ピース２０’も容易に裁断できるので、複雑な型紙等を起こすことなく、右ピース２０および左ピース２０’を簡単に作ることができる。
【００７５】
また、これと同じ要領で、図１１に示す衣服１０”のように、左ピース３０と同じ形状をしたものを右ピース２０の代わりに着用しても良い。即ち、左ピース３０と、左ピース３０と左右対称の形状からなる右ピース３０’と、によって、左右に分離された２ピースからなる一着を構成しても良い。なお、図１１において、「’（ダッシュ）」が付されている符号が指し示すものは、その「’」の付いていない符号が指し示すものと「左右対称形状」である点を除き、ほぼ同一に構成されていることを意味している。そのため、ここでは「’」付きの符号が付されているものの説明を省略する。
【００７６】
これにより、左右の両ピース３０，３０’は、左右対称である点を除きいずれも同じ形状をしているので、左ピース３０を作成してそれを裏表にすることで、右ピース３０’を実現することができる。したがって、左ピース３０を裁つのと同様に右ピース３０’も容易に裁断できるので、複雑な型紙等を起こすことなく、左ピース３０および右ピース３０’を簡単に作ることができる。
【００７７】
本実施形態に係る衣服１０では、前述したように、裁断時や縫製時には、ほぼ矩形状をなすように形成されている切欠部α（図４〜図７）を袋状に縫合した表地と裏地の間に形成される空間内に裏返して収容（袋内に入れ込むように内側に押し込む）した。そのため、図１２に示すように、この部分にはポケット２０ｐ，３０ｐが形成されているので、ここに、例えば、香草を入れることで、当該衣服１０の着用時にそれによる香りを楽しむことができ、また気管支炎等に効果のある薬草をこれに入れても良い。また、背中側においても、このポケット２０ｐ，３０ｐが形成されるが、例えば、肩こりに効く薬草をこれに入れることで、ポケット２０ｐ，３０ｐの形成位置が肩甲骨に近いことから、薬効を効果的に得ることが可能となる。
【００７８】
ここで、図１３を参照して、衣服１０が着衣以外の用途に使用できる他の機能について説明する。図５(A)に示すように、左ピース３０には、締止片３４ａ，３４ｂの幅とほぼ同じ間隔で位置する縫い目１３０ｗが２条形成されている。
【００７９】
このため、図１３(A)に示すように、この縫い目１３０ｗに沿って左ピース３０を上下方向に折り畳み、かつ図１３(B)に示すように、左肩掛止部３２の掛止片３２ａ，３２ｂを留め具４３等により繋げて「輪っか」状の取手を形成することによって、縫合されていない開口部３０ｑから物を出し入れできる持ち運びに利便性の高い手提げ袋として、左ピース３０を使用することが可能となる。
【００８０】
また、図１３(B)に示すように、左ピース３０の縫い目１３０ｗにより形成されるベルト通孔にベルト５３を通すことによって、このベルト５３により使用者の肩に担ぐことが可能な袋にもなる。これにより、重量の大きな荷物であっても左ピース３０内にそれを入れて運ぶことが可能となる。特に、災害時などに、身近に適当な袋が見つからない場合等、緊急必需用品をこれに入れて運べる点で、このような左ピース３０の袋としての機能が役に立つ。
【００８１】
なお、右ピース２０にも右肩掛止部２２が形成されていることから、この右肩掛止部２２の掛止片２２ａ，２２ｂを留め具４３等により繋げて「輪っか」状の取手を形成することで、左ピース３０による袋と同様に機能する。またこの左ピース３０には、図５(A)に示すような縫い目１３０ｗが形成されていないことから、より底の深い袋として使用することができる。
【００８２】
上述した例のほかに、衣服１０を構成する左ピース３０は、それをベストとして着用することもできる。その例が、図１４に図示されている。なお、図１４(A)は前側、図１４(B)は後側、図１４(C)は右側、図１４(D)は左側、からそれぞれ見たものである。
【００８３】
さらに、衣服１０を構成する右ピース２０は、それをワンピースとして着用することもできる。図１５にはその例が図示されており、図１５(A)は前側、図１５(B)は後側、図１５(C)は右側、図１５(D)は左側、からそれぞれ見たものである。
【００８４】
以上説明した各実施形態では、右ピース２０を右用、左ピース３０を左用というように左右を固定して説明したが、本発明はこれに限られることはなく、左右逆に構成しても、同様の作用・効果を奏する。また、切欠部の形状はＬ字形状やＪ字形状に限られることはなく、袖ぐりや衿ぐりが形成可能であれば他の形状であっても良い。
【符号の説明】
【００８５】
１０…衣服
２０…右ピース
２０ａ…右前身頃（右側身頃部）
２０ｂ…右後ろ身頃（右側身頃部）
２０ｃ…右袖ぐり部
２０ｄ…右裾部（裾部）
２０ｅ…右衿ぐり部
２２…右肩掛止部
２３…左腰包被部
２５、２６…切欠部
２８…スカート部
３０…左ピース
３０ａ…左前身頃（左側身頃部）
３０ｂ…左後ろ身頃（左側身頃部）
３０ｃ…左袖ぐり部
３０ｄ…左裾部（裾部）
３０ｅ…左衿ぐり部
３２…左肩掛止部
３４…右腰締止部
３５、３６、３７、３８…切欠部
３９…突出部（左肩掛止部）
４２、４３…留め具
５２…腰紐（右ピース締止手段）
５３…ベルト
１００…生地（裁断前のもの）
１２０…布地（凸字形状の布地、表地）
１２０’…布地（凸字形状の布地、裏地）
１２０ａ…辺（裾部を有する一辺）
１２０ｂ…辺（切欠部を有する両側二辺）
１２０ｃ…辺（右肩掛止部を有する一辺）
１３０…布地（上下対称形状の布地、表地）
１３０’…布地（上下対称形状の布地、裏地）
１３０ａ…辺（折り目部を有する一辺）
１３０ｂ…辺（切欠部を有する両側二辺）
１３０ｃ…辺（左肩掛止部を有する一辺）
Ｍ…マネキン
【図４】
2011184830.tif 000003
【図６】
2011184830.tif 000004
【図１】
2011184830.tif 000005
【図２】
2011184830.tif 000006
【図３】
2011184830.tif 000007
【図５】
2011184830.tif 000008
【図７】
2011184830.tif 000009
【図８】
2011184830.tif 000010
【図９】
2011184830.tif 000011
【図１０】
2011184830.tif 000012
【図１１】
2011184830.tif 000013
【図１２】
2011184830.tif 000014
【図１３】
2011184830.tif 000015
【図１４】
2011184830.tif 000016
【図１５】
2011184830.tif 000017
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
左右に分離された２ピースからなり、右ピースと左ピースの一対により一着を構成する衣服であって、
表地と裏地とからなり、前身頃の右側半分以上および後ろ身頃の右側半分以上を形成する右側身頃部、右肩に掛止可能な右肩掛止部ならびに左腰を包被可能な左腰包被部を有し、袖がなく、前身頃側と後ろ身頃側とにほぼ二分するように前記右肩掛止部の途中および前記左腰包被部の途中で分離可能かつ分離すると平面状に展開可能に構成される右ピースと、
前記右ピースを腰の周囲で身体に締止可能な右ピース締止手段と、
表地と裏地とからなり、前身頃の左側半分以上および後ろ身頃の左側半分以上を形成する左側身頃部、左肩に掛止可能な左肩掛止部ならびに右腰に締止可能な右腰締止部を有し、袖がなく、前身頃側と後ろ身頃側とにほぼ二分するように前記左肩掛止部の途中および前記右腰掛止部の途中で分離可能かつ分離すると平面状に展開可能に構成される左ピースと、を備え、
前記右ピースおよび前記左ピースの少なくとも一方は、前記表地と前記裏地とがそれぞれ異なった色、柄、模様または織り方の生地であり、前身頃と後ろ身頃とが同一形状に形成されていることを特徴とする衣服。
【請求項２】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースは、それぞれ前身頃側と後ろ身頃側とにほぼ二分するように前記左肩掛止部の途中および前記右腰掛止部の途中で分離可能に構成されており、これらを分離して展開すると、着衣時における上下方向ほぼ中央から上下二つ折りに２枚重ねにした形状が、折り目部を有する一辺と、この折り目部から前記右腰掛止部に向けてほぼ直角に立ち上がり前記右腰掛止部から上方が内側に切り欠けて窪む切欠部を有する両側二辺と、前記折り目部の一辺に対向してほぼ中央から外側上方に突出する前記左肩掛止部を有する一辺と、からなる左右対称のほぼ凸字形状をなす上下対称形状の布地になることを特徴とする請求項１記載の衣服。
【請求項３】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースも、前記左側身頃部の裾部がスカート状に形成されるとともに、それぞれ前身頃側と後ろ身頃側とにほぼ二分するように前記左肩掛止部の途中および前記右腰包被部の途中で分離可能に構成されており、これらを分離して展開すると、前記右ピースと同形状をなす左右対称のほぼ凸字形状の布地になることを特徴とする請求項１記載の衣服。
【請求項４】
前記右ピースは、それぞれ前身頃側と後ろ身頃側とにほぼ二分するように前記右肩掛止部の途中および前記左腰掛止部の途中で分離可能に構成されており、これらを分離して展開すると、着衣時における上下方向ほぼ中央から上下二つ折りに２枚重ねにした形状が、折り目部を有する一辺と、この折り目部から前記左腰掛止部に向けてほぼ直角に立ち上がり前記左腰掛止部から上方が内側に切り欠けて窪む切欠部を有する両側二辺と、前記折り目部の一辺に対向してほぼ中央から外側上方に突出する前記右肩掛止部を有する一辺と、からなる左右対称のほぼ凸字形状をなす上下対称形状の布地になり、
前記左ピースも、それぞれ前身頃側と後ろ身頃側とにほぼ二分するように前記左肩掛止部の途中および前記右腰掛止部の途中で分離可能に構成されており、これらを分離して展開すると、前記右ピースと同形状をなす左右対称のほぼ凸字形状をなす上下対称形状の布地になることを特徴とする請求項１記載の衣服。
【請求項５】
前記右ピースまたは左ピースの少なくとも一方は、肩掛止部（右ピースの場合は前記右肩掛止部、左ピースの場合は前記左肩掛止部）の周囲を除いて前記表地と前記裏地との周囲は縫合されていることをことを特徴とする請求項１〜４のいずれか一項に記載の衣服。
【手続補正２】
【補正対象書類名】明細書
【補正対象項目名】００１１
【補正方法】変更
【補正の内容】
【００１１】
上記目的を達成するため、特許請求の範囲に記載された請求項１の技術的手段を採用する。この手段によると、右ピースは、「前身頃の右側半分以上および後ろ身頃の右側半分以上を形成する右側身頃部」、「右肩に掛止可能な右肩掛止部」ならびに「左腰を包被可能な左腰包被部」を有し、袖がなく、前身頃側と後ろ身頃側とにほぼ二分するように右肩掛止部の途中および左腰包被部の途中で分離可能かつ分離すると平面状に展開可能に構成され、左ピースは、「前身頃の左側半分以上および後ろ身頃の左側半分以上を形成する左側身頃部」、「左肩に掛止可能な左肩掛止部」ならびに「右腰に締止可能な右腰締止部」を有し、袖がなく、前身頃側と後ろ身頃側とにほぼ二分するように左肩掛止部の途中および右腰掛止部の途中で分離可能かつ分離すると平面状に展開可能に構成され、右ピースは右ピース締止手段により腰の周囲で身体に締止される。そして、右ピースおよび左ピースの少なくとも一方は、表地と裏地とがそれぞれ異なった色、柄、模様または織り方の生地であり、前身頃と後ろ身頃とが同一形状に形成されている。
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
左右に分離された２ピースからなり、右ピースと左ピースの一対により一着を構成する衣服であって、
表地と裏地とからなり、前身頃の右側半分以上および後ろ身頃の右側半分以上を形成する右側身頃部、右肩に掛止可能な右肩掛止部ならびに左腰を包被可能な左腰包被部を有し、袖がなく、前身頃側と後ろ身頃側とにほぼ二分するように前記右肩掛止部の途中および前記左腰包被部の途中で分離可能かつ分離すると平面状に展開可能に構成される右ピースと、
前記右ピースを腰の周囲で身体に締止可能な右ピース締止手段と、
表地と裏地とからなり、前身頃の左側半分以上および後ろ身頃の左側半分以上を形成する左側身頃部、左肩に掛止可能な左肩掛止部ならびに右腰に締止可能な右腰締止部を有し、袖がなく、前身頃側と後ろ身頃側とにほぼ二分するように前記左肩掛止部の途中および前記右腰締止部の途中で分離可能かつ分離すると平面状に展開可能に構成される左ピースと、を備え、
前記右ピースおよび前記左ピースの少なくとも一方は、前記表地と前記裏地とがそれぞれ異なった素材、色、模様または織り方の生地であり、前身頃と後ろ身頃とが同一形状に形成されており、
(1)前記右ピースにおいて前記右肩掛止部の周囲を除き前記表地と前記裏地との周囲が縫合されていること、(2)前記左ピースにおいて前記左肩掛止部の周囲を除き前記右腰締止部から前記左肩掛止部側の範囲で前記表地と前記裏地との周囲が縫合されていること、の少なくとも一方を満たすことを特徴とする衣服。
【請求項２】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースは、それぞれ前身頃側と後ろ身頃側とにほぼ二分するように前記左肩掛止部の途中および前記右腰締止部の途中で分離可能に構成されており、これらを分離して展開すると、着衣時における上下方向ほぼ中央から上下二つ折りに２枚重ねにした形状が、折り目部を有する一辺と、この折り目部から前記右腰締止部に向けてほぼ直角に立ち上がり前記右腰締止部から上方が内側に切り欠けて窪む切欠部を有する両側二辺と、前記折り目部の一辺に対向してほぼ中央から外側上方に突出する前記左肩掛止部を有する一辺と、からなる左右対称のほぼ凸字形状をなす上下対称形状の布地になることを特徴とする請求項１記載の衣服。
【請求項３】
前記右ピースは、前記右側身頃部の裾部がスカート状に形成されるとともに、それぞれ前身頃側と後ろ身頃側とにほぼ二分するように前記右肩掛止部の途中および前記左腰包被部の途中で分離可能に構成されており、これらを分離して展開すると、前記スカート状の裾部を有する一辺と、この裾部から前記左腰包被部に向けてほぼ直角に立ち上がり前記左腰包被部から上方が内側に切り欠けて窪む切欠部を有する両側二辺と、前記裾部の一辺に対向してほぼ中央から外側上方に突出する前記右肩掛止部を有する一辺と、からなる左右対称のほぼ凸字形状の布地になり、
前記左ピースも、前記左側身頃部の裾部がスカート状に形成されるとともに、それぞれ前身頃側と後ろ身頃側とにほぼ二分するように前記左肩掛止部の途中および前記右腰包被部の途中で分離可能に構成されており、これらを分離して展開すると、前記右ピースと同形状をなす左右対称のほぼ凸字形状の布地になることを特徴とする請求項１記載の衣服。
【請求項４】
前記右ピースは、それぞれ前身頃側と後ろ身頃側とにほぼ二分するように前記右肩掛止部の途中および前記左腰掛止部の途中で分離可能に構成されており、これらを分離して展開すると、着衣時における上下方向ほぼ中央から上下二つ折りに２枚重ねにした形状が、折り目部を有する一辺と、この折り目部から前記左腰掛止部に向けてほぼ直角に立ち上がり前記左腰掛止部から上方が内側に切り欠けて窪む切欠部を有する両側二辺と、前記折り目部の一辺に対向してほぼ中央から外側上方に突出する前記右肩掛止部を有する一辺と、からなる左右対称のほぼ凸字形状をなす上下対称形状の布地になり、
前記左ピースも、それぞれ前身頃側と後ろ身頃側とにほぼ二分するように前記左肩掛止部の途中および前記右腰締止部の途中で分離可能に構成されており、これらを分離して展開すると、前記右ピースと同形状をなす左右対称のほぼ凸字形状をなす上下対称形状の布地になることを特徴とする請求項１記載の衣服。
【手続補正２】
【補正対象書類名】明細書
【補正対象項目名】００１１
【補正方法】変更
【補正の内容】
【００１１】
上記目的を達成するため、特許請求の範囲に記載された請求項１の技術的手段を採用する。この手段によると、右ピースは、「前身頃の右側半分以上および後ろ身頃の右側半分以上を形成する右側身頃部」、「右肩に掛止可能な右肩掛止部」ならびに「左腰を包被可能な左腰包被部」を有し、袖がなく、前身頃側と後ろ身頃側とにほぼ二分するように右肩掛止部の途中および左腰包被部の途中で分離可能かつ分離すると平面状に展開可能に構成され、左ピースは、「前身頃の左側半分以上および後ろ身頃の左側半分以上を形成する左側身頃部」、「左肩に掛止可能な左肩掛止部」ならびに「右腰に締止可能な右腰締止部」を有し、袖がなく、前身頃側と後ろ身頃側とにほぼ二分するように左肩掛止部の途中および右腰締止部の途中で分離可能かつ分離すると平面状に展開可能に構成され、右ピースは右ピース締止手段により腰の周囲で身体に締止される。そして、右ピースおよび左ピースの少なくとも一方は、表地と裏地とがそれぞれ異なった素材、色、模様または織り方の生地であり、前身頃と後ろ身頃とが同一形状に形成されており、(1)前記右ピースにおいて前記右肩掛止部の周囲を除き前記表地と前記裏地との周囲が縫合されていること、(2)前記左ピースにおいて前記左肩掛止部の周囲を除き前記右腰締止部から前記左肩掛止部側の範囲で前記表地と前記裏地との周囲が縫合されていること、の少なくとも一方を満たす。
【手続補正３】
【補正対象書類名】明細書
【補正対象項目名】００１２
【補正方法】変更
【補正の内容】
【００１２】
これにより、右ピースおよび／または左ピースは、前身頃と後ろ身頃とが同一形状に形成されるので、裏表に返しても違和感なく着用、つまりリバーシブルで使用することができる。また、表地と裏地とがそれぞれ異なった素材、色、模様または織り方の生地であるため、生地の種類を適宜選択することにより、表側と裏側とで異なったＴＰＯに適応可能な衣服を構成することができる。さらに、このような表地と裏地の異なった生地の組み合わせを左右の両ピースについて設定することで、一着の衣服でありながら４通りの組み合わせ（右：表・左：表，右：表・左：裏，右：裏・左：表，右：裏・左：裏）を楽しむことができる。例えば、表地はフォーマルに適した生地、裏地は普段着に適した生地、に設定することで、両方の場面で着用可能な衣服を構成することができる。また、右ピースは右ピース締止手段により腰の周囲で身体に締止され、また左ピースは右腰締止部により右腰に締止されるので、左右の両ピースとも腰を中心に身体に固定される。そのため、上半身および下半身に対して比較的ゆったりとしたサイズで構成することができるので、いわゆるフリーサイズにすることができる。
【手続補正４】
【補正対象書類名】明細書
【補正対象項目名】００１３
【補正方法】変更
【補正の内容】
【００１３】
また、右ピースおよび左ピースのいずれも、腰を中心に身体に固定されているので、例えば、身動きの不自由な寝たままの要介護者に着せる場合でも、横たわった状態の要介護者の腰の下側から、左右ピースの一部を通して腰に締止させることで、背中を起こすことなく容易に着用することができる。さらに、締止する腰に対して対角状に位置する側の肩（右ピースの場合には左腰と右肩、左ピースの場合には右腰と左肩）に掛止するように構成されているので、左右の両ピースを同時に掴んで引き上げることにより、要介護者の腰と肩を力点としたタスキがけ状に力が加わるため、要介護者の姿勢を比較的容易に変えることができる。このため、着衣時や脱衣時だけでなく、褥瘡（じょくそう）の防止作業時においても、介護者の体力的な負担を軽減することが可能となる。
さらに、右ピースの場合には、右肩掛止部の周囲を除いて表地と裏地との周囲は縫合され、左ピースの場合には、左肩掛止部の周囲を除いて右腰締止部から左肩掛止部側の範囲で表地と裏地との周囲は縫合されている。これにより、左右の両ピースのうち、少なくとも一方は、右肩掛止部または左肩掛止部の周囲が開口する袋状に縫製されるので、これら両ピースのうち、少なくとも一方は、衣服としての用途だけでなく、袋としても使用可能なものとなる。
【手続補正５】
【補正対象書類名】明細書
【補正対象項目名】００１４
【補正方法】変更
【補正の内容】
【００１４】
また、特許請求の範囲に記載された請求項２の技術的手段を採用する。この手段によると、右ピースは、前身頃側と後ろ身頃側とにほぼ二分するように右肩掛止部の途中および左腰包被部の途中で分離して展開すると、スカート状の裾部を有する一辺と、この裾部から左腰包被部に向けてほぼ直角に立ち上がり左腰包被部から上方が内側に切り欠けて窪む切欠部を有する両側二辺と、裾部の一辺に対向してほぼ中央から外側上方に突出する右肩掛止部を有する一辺と、からなる左右対称のほぼ凸字形状の布地になる。また、左ピースも、それぞれ前身頃側と後ろ身頃側とにほぼ二分するように左肩掛止部の途中および右腰締止部の途中で分離して展開すると、着衣時における上下方向ほぼ中央から上下二つ折りに２枚重ねにした形状が、折り目部を有する一辺と、この折り目部から右腰締止部に向けてほぼ直角に立ち上がり右腰締止部から上方が内側に切り欠けて窪む切欠部を有する両側二辺と、折り目部の一辺に対向してほぼ中央から外側上方に突出する左肩掛止部を有する一辺と、からなる左右対称のほぼ凸字形状をなす上下対称形状の布地になる。これにより、例えば、正方形状をなす生地を２枚用意して、それを左右対称に裁つことで容易に裁断できるので、複雑な型紙等を起こすことなく、右ピースおよび左ピースを簡単に作ることができる。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
請求項１の発明では、右ピースおよび／または左ピースは、前身頃と後ろ身頃とが同一形状に形成されるので、違和感なくリバーシブルにすることができる。また、表地と裏地とがそれぞれ異なった素材、色、模様または織り方の生地であるため、生地の種類を適宜選択することにより、表側と裏側とで異なったＴＰＯに適応可能な衣服を構成することができる。さらに、このような表地と裏地の異なった生地の組み合わせを左右、両ピースについて設定することで、一着の衣服でありながら４通りの組み合わせを楽しむことができる。また、右ピースは右ピース締止手段により腰の周囲で身体に締止され、また左ピースは右腰締止部により右腰に締止されるので、左右、両ピースとも腰を中心に身体に固定される。そのため、上半身および下半身に対して比較的ゆったりとしたサイズで構成することができるので、いわゆるフリーサイズにすることができる。したがって、従来の衣服のように、需要者側においては、各用途別や適用部位部に何着も購入したり所有する必要がなくなる一方で、供給者側においても、品揃えをサイズ別に用意したり在庫をする必要がなくなるので、需要者・供給者のいずれも経済的な効率が改善されて、資源の有効利用やＣＯ２の削減を促進することが可能となる。
【手続補正８】
【補正対象書類名】明細書
【補正対象項目名】００１８
【補正方法】変更
【補正の内容】
【００１８】
また、右ピースおよび左ピースのいずれも、腰を中心に身体に固定しているので、例えば、身動きの不自由な寝たままの要介護者に着せる場合でも、横たわった状態の要介護者の腰の下側から、左右ピースの一部を通して腰に締止させることで、背中を起こすことなく容易に着用することができる。さらに、締止する腰に対して対角状に位置する側の肩（右ピースの場合には左腰と右肩、左ピースの場合には右腰と左肩）に掛止するように構成されているので、左右両ピースの同時に掴んで引き上げることにより、要介護者の腰と肩を力点としたタスキがけ状に力が加わるため、要介護者の姿勢を比較的容易に変えることができる。このため、着衣時や脱衣時だけでなく、褥瘡（じょくそう）の防止作業時においても、介護者の体力的な負担を軽減することが可能となる。したがって、身動きの不自由な寝たままの要介護者に適した衣服を提供することができる。
さらに、左右の両ピースのうち、少なくとも一方は、右肩掛止部または左肩掛止部の周囲が開口する袋状に縫製されるので、これら両ピースのうち、少なくとも一方は、衣服としての用途だけでなく、袋としても使用可能なものとなる。これにより、例えば、レジ袋を提供しないスーパーマーケットにおいてエコバック（登録商標）等の持参を忘れたとしても、右ピースまたは左ピースのいずれか一方を脱いで購入品を入れて持ち帰ることができる点で、不要なレジ袋の消費と生産を抑制することができる。したがって、単に衣服としてのみ機能するものに比べて、資源の有効利用やＣＯ２の削減を促進することが可能となる。
【手続補正９】
【補正対象書類名】明細書
【補正対象項目名】００２１
【補正方法】削除
【補正の内容】
【手続補正１０】
【補正対象書類名】明細書
【補正対象項目名】００５９
【補正方法】変更
【補正の内容】
【００５９】
また、図４(F)に示すように、左ピース３０の展開形状は、着衣時における上下方向ほぼ中央から上下二つ折りに２枚重ねにした形状、つまり図４(E)に示す形状が、折り目部を有する辺１３０ａと、この折り目部から締止片３４ａ，３４ｂ（右腰締止部３４）に向けてほぼ直角に立ち上がり右腰締止部３４から上方が内側に切り欠けて窪む切欠部αを有する両側の２つの辺１３０ｂと、折り目部の辺１３０ａに対向してほぼ中央から外側上方に突出する掛止片３２ａ，３２ｂ（左肩掛止部３２）を有する辺１３０ｃと、からなる左右対称のほぼ凸字形状をなす、図４(F)に示す上下対称形状になる。